(57)【要約】【課題】システム管理者の手間を軽減しつつ、ユーザに不便を感じさせずにユーザの種別に応じた不動産物件情報を提供できるシステムを実現する。【解決手段】不動産物件情報提供システムは、サーバとユーザ端末とを備えるネットワークシステムであって、サーバはユーザの種別に関する情報を含むユーザ情報を記憶するサーバ記憶部と物件情報配信部を備え、ユーザ端末は、マーカ識別情報に関連付けられた物件情報をサーバから取得する物件情報取得部と、ユーザが不動産物件の方角を認識できるような態様で物件情報を表示する表示情報生成部とを備え、物件情報配信部は、ユーザの種別に応じてユーザ端末に配信する物件情報を異なるものとする。【選択図】図１
2020080058.tif 000002
【特許請求の範囲】
【請求項１】
サーバとユーザ端末とを備えるネットワークシステムであって、
前記サーバは、
マーカ画像を特定するマーカ識別情報と不動産物件の所在地情報及び関連情報を含む物件情報とをユーザの種別ごとに関連付けて記憶するサーバ記憶部と、
前記ユーザ端末からの求めに応じて前記マーカ識別情報に関連付けられた前記物件情報を該ユーザ端末に配信する物件情報配信部を備え、
前記ユーザ端末は、
前記ユーザの種別に関する情報を含むユーザ情報を記憶する端末記憶部と、
前記マーカ画像を読み込むカメラ部と、
前記カメラ部が読み込んだ前記マーカ画像の前記マーカ識別情報に基づいて、該マーカ識別情報に関連付けられた前記物件情報を前記サーバから取得する物件情報取得部と、
前記物件情報取得部が取得した前記物件情報に含まれる不動産物件の所在地情報と前記ユーザ端末の位置情報及び向きとに基づいて該ユーザ端末の位置からの該不動産物件の方角を取得し、前記ユーザが該不動産物件の方角を認識できるような態様で該物件情報の一部又はすべてを該ユーザ端末に表示する表示情報生成部とを備え、
前記物件情報配信部は、前記ユーザの種別に応じて前記ユーザ端末に配信する前記物件情報を異なるものとすることを特徴とする不動産物件情報提供システム。
【請求項２】
請求項１に記載の不動産物件情報提供システムにおいて、
前記カメラ部は、連続して複数の前記マーカ画像を読み込むことができ、
前記物件情報取得部は、前記カメラ部が読み込んだ複数の前記マーカ画像の前記マーカ識別情報に基づいて、各マーカ識別情報に関連付けられた前記物件情報を前記サーバから取得し、
前記表示情報生成部は、前記物件情報取得部が取得した複数の物件情報に含まれる各不動産物件の所在地情報と前記ユーザ端末の位置情報及び向きとに基づいて該ユーザ端末の位置からの各不動産物件の方角を取得し、前記ユーザが各不動産物件の方角を認識できるような態様で各物件情報の一部又はすべてを該ユーザ端末に表示するように構成されていることを特徴とする不動産物件情報提供システム。
【請求項３】
請求項１又は２に記載の不動産物件情報提供システムにおいて、
前記サーバ記憶部は、前記物件情報の表示レイアウトであるレイアウト情報を記憶しており、
前記物件情報取得部は、前記カメラ部が読み込んだ前記マーカ画像の前記マーカ識別情報に基づいて、各マーカ識別情報に関連付けられた前記物件情報及び前記レイアウト情報を前記サーバから取得するように構成され、
前記表示情報生成部は、前記ユーザの種別に応じて前記物件情報の表示レイアウトを異なるものとするように構成されていることを特徴とする不動産物件情報提供システム。
【発明の詳細な説明】
【技術分野】
【０００１】
本発明は、不動産物件情報提供システムに関する。
【背景技術】
【０００２】
従来、印刷物に印刷した二次元コードをマーカとして用いて、当該二次元コードをユーザ端末に読み込ませ、当該二次元コードに対応するコンテンツをサーバから取得して端末に当該コンテンツを表示させるシステムが知られている（例えば特許文献１参照。）。
【０００３】
文献１のシステムでは、音声又は映像データを含むコンテンツを特定する情報を記述した二次元コードをユーザ端末に読み取らせ、当該情報に基づいてサーバからコンテンツを受信し、受信したコンテンツをユーザ端末でユーザに視聴させることができる。
【先行技術文献】
【特許文献】
【０００４】
【特許文献１】特開２００９−２８２８９６号公報
【発明の概要】
【発明が解決しようとする課題】
【０００５】
特許文献１のようなシステムを、不動産の物件情報の提供に利用することが考えられる。
【０００６】
しかしながら、上記特許文献１のシステムによれば、ある時点においてユーザ端末でユーザに視聴させることができるコンテンツは一つのマーカに対して常にひとつである。
【０００７】
この場合、例えば物件への居住を希望して物件を探している入居希望者と、物件の仲介を行う不動産事業者とでは、物件に関する情報として得たい情報が異なるので、文献１のシステムを不動産の物件情報の提供に用いた場合、不動産事業者のシステム管理者は、ユーザの種別ごとにコンテンツを作成するだけでなく、コンテンツの数だけマーカを準備し、各コンテンツとマーカとを関連付けてサーバに記憶させ、対応するマーカを印刷した印刷媒体を、例えば自社の従業者向け、入居希望者向けなどユーザの種別ごとに作成する必要がある。
【０００８】
そのため、各不動産事業者のシステム管理者にとって、コンテンツの管理の手間が多く、また、印刷すべき印刷媒体の数も増大する。
【０００９】
また、ユーザも入居希望者向けの印刷媒体、不動産事業者向けの印刷媒体など、自身の立場に応じた印刷媒体を入手しなければならず、不便である。
【００１０】
このように、上記特許文献１のシステムによれば、各不動産事業者のシステム管理者の手間が増大すると共に、ユーザにも不便を感じさせることとなる。
【００１１】
本発明の目的は、かかる従来技術の課題に鑑み、システム管理者の手間を軽減しつつ、ユーザに不便を感じさせずにユーザの種別に応じた不動産物件情報を提供できるシステムを実現することにある。
【課題を解決するための手段】
【００１２】
本発明による不動産物件情報提供システムは、
サーバとユーザ端末とを備えるネットワークシステムであって、
前記サーバは、
マーカ画像を特定するマーカ識別情報と不動産物件の所在地情報及び関連情報を含む物件情報とをユーザの種別ごとに関連付けて記憶するサーバ記憶部と、
前記ユーザ端末からの求めに応じて前記マーカ識別情報に関連付けられた前記物件情報を該ユーザ端末に配信する物件情報配信部を備え、
前記ユーザ端末は、
前記ユーザの種別に関する情報を含むユーザ情報を記憶する端末記憶部と、
前記マーカ画像を読み込むカメラ部と、
前記カメラ部が読み込んだ前記マーカ画像の前記マーカ識別情報に基づいて、該マーカ識別情報に関連付けられた前記物件情報を前記サーバから取得する物件情報取得部と、
前記物件情報取得部が取得した前記物件情報に含まれる不動産物件の所在地情報と前記ユーザ端末の位置情報及び向きとに基づいて該ユーザ端末の位置からの該不動産物件の方角を取得し、前記ユーザが該不動産物件の方角を認識できるような態様で該物件情報の一部又はすべてを該ユーザ端末に表示する表示情報生成部とを備え、
前記物件情報配信部は、前記ユーザの種別に応じて前記ユーザ端末に配信する前記物件情報を異なるものとすることを特徴とする。
【００１３】
本発明によれば、表示情報生成部は、不動産物件の所在地情報とユーザ端末の位置情報及び向きとに基づいて当該ユーザ端末の位置からの当該物件の方角を取得し、ユーザが当該物件の方角を認識できるような態様で物件情報をユーザ端末に表示することができる。
【００１４】
そのためユーザは、物件の所在する方角を容易に知ることができると共に、当該物件の関連情報（例えば外観、間取り、周辺に立地している店舗、公共交通手段の駅など）を得ることができる。
【００１５】
また、サーバ記憶部は、マーカ画像を特定するマーカ識別情報と不動産物件の所在地情報及び関連情報を含む物件情報とをユーザの種別ごとに関連付けて記憶しており、サーバの物件情報配信部は、ユーザの種別に応じてユーザ端末に配信する物件情報を異なるものとすることができる。
【００１６】
これにより、ユーザは、同一のマーカ画像をユーザ端末に読み込ませても、当該ユーザに適した内容で物件情報をユーザ端末に表示させることができ、便利である。
【００１７】
また、各不動産事業者のシステム管理者は、同一の不動産物件についてユーザの種別ごとに異なる内容で物件情報を配信したい場合でも、不動産物件ごとのマーカ画像を１つのみ用意すればよいので、システム管理者の手間が少なくて済む。
【００１８】
このように、本発明の不動産物件情報提供システムによれば、システム管理者の手間を軽減しつつ、ユーザに不便を感じさせずにユーザの種別に応じた不動産物件情報を提供できるシステムを実現することができる。
【００１９】
本発明による不動産物件情報提供システムにおいて、
前記カメラ部は、連続して複数の前記マーカ画像を読み込むことができ、
前記物件情報取得部は、前記カメラ部が読み込んだ複数の前記マーカ画像の前記マーカ識別情報に基づいて、各マーカ識別情報に関連付けられた前記物件情報を前記サーバから取得し、
前記表示情報生成部は、前記物件情報取得部が取得した複数の物件情報に含まれる各不動産物件の所在地情報と前記ユーザ端末の位置情報及び向きとに基づいて該ユーザ端末の位置からの各不動産物件の方角を取得し、前記ユーザが各不動産物件の方角を認識できるような態様で各物件情報の一部又はすべてを該ユーザ端末に表示するように構成されていることが好ましい。
【００２０】
本発明によれば、カメラ部は、連続して複数のマーカ画像を読み込むことができる。そして、物件情報取得部は、カメラ部が読み込んだ複数のマーカ画像のマーカ識別情報に基づいて、各マーカ識別情報に関連付けられた物件情報をサーバから取得する。
【００２１】
さらに、表示情報生成部は、物件情報取得部が取得した複数の物件情報に含まれる各不動産物件の所在地情報とユーザ端末の位置情報及び向きとに基づいて当該ユーザ端末の位置からの各不動産物件の方角を取得し、ユーザが各不動産物件の方角を認識できるような態様で各物件情報をユーザ端末に表示することができる。
【００２２】
そのためユーザは、同時に複数の物件の所在する方角を知ることができると共に、当該複数の物件の物件情報を得ることができる。
【００２３】
このように、本発明の不動産物件情報提供システムによれば、よりユーザに不便を感じさせずに不動産物件情報を提供できるシステムを実現することができる。
【００２４】
本発明の不動産物件情報提供システムにおいて、
前記サーバ記憶部は、前記物件情報の表示レイアウトであるレイアウト情報を記憶しており、
前記物件情報取得部は、前記カメラ部が読み込んだ前記マーカ画像の前記マーカ識別情報に基づいて、各マーカ識別情報に関連付けられた前記物件情報及び前記レイアウト情報を前記サーバから取得するように構成され、
前記表示情報生成部は、前記ユーザの種別に応じて前記物件情報の表示レイアウトを異なるものとするように構成されていることが好ましい。
【００２５】
不動産物件情報提供システムを、異なる不動産事業者が物件の仲介のために用いることが考えられる。また、不動産事業者ごとに、入居希望者に物件情報を提供する際の物件情報の並び順、表示位置などのレイアウトが異なる場合がある。
【００２６】
本発明によれば、サーバ記憶部は、物件情報の表示レイアウトであるレイアウト情報を記憶しており、表示情報生成部は、ユーザの種別（例えば、どの不動産事業者の従業者であるか）に応じて物件情報の表示レイアウトを異なるものとすることができる。
【００２７】
そのため、各不動産事業者のシステム管理者は、自社向けのレイアウト情報を作成しておくことにより、各不動産事業者が望むレイアウトで、物件情報をユーザ端末に表示させることができる。
【００２８】
このように、本発明の不動産物件情報提供システムによれば、システム管理者の手間を軽減しつつ、各不動産事業者の希望に応じた不動産物件情報をユーザに提供できるシステムを実現することができる。
【図面の簡単な説明】
【００２９】
【図１】本発明の一実施形態に係る不動産物件情報提供システムの構成の概略を示す概略図。
【図２】本発明の一実施形態に係る不動産物件情報提供システムの処理の流れを示すフローチャート。
【図３Ａ】本発明の一実施形態に係る不動産物件情報提供システムのユーザ端末における画面表示を示す図。
【図３Ｂ】本発明の一実施形態に係る不動産物件情報提供システムのユーザ端末における画面表示を示す図。
【発明を実施するための形態】
【００３０】
以下、図面を用いて本発明の実施形態を説明する。
【００３１】
まず、図１を参照して、本発明の一実施形態に係る不動産物件情報提供システムの構成の概略を説明する。
【００３２】
本発明の一実施形態に係る不動産物件情報提供システムは、複数のユーザ端末１０と１つ以上のサーバ２０とを備えるネットワークシステムである。さらに不動産物件情報提供システムは、各不動産事業者のシステム管理者が用いる１つ以上の管理者端末３０ａ、３０ｂを備えている。
【００３３】
ユーザ端末１０とサーバ２０との間及び管理者端末３０ａ、３０ｂとサーバ２０との間は、例えば携帯電話通信網、Ｗｉ−Ｆｉ（登録商標）その他の無線通信又はＥｔｈｅｒｎｅｔ、ＰＬＣ（パワー・ライン・コミュニケーション）などの有線通信などを介してインターネット等の通信ネットワーク４０により接続されており、各ユーザ端末１０、サーバ２０、及び管理者端末３０ａ、３０ｂに割り当てられているＩＰアドレス、識別符号などに基づいて相手方を特定して相互に種々の情報を送受信することができる。
【００３４】
ユーザ端末１０は、カメラ部１００、タッチパネル部１１０、ＧＰＳ部１２０、ジャイロセンサー部１３０、端末通信部１４０、端末制御部１５０、物件情報取得部１５１、表示情報生成部１５２、端末記憶部１６０を備える端末であり、例えばスマートフォン、タブレットである。
【００３５】
カメラ部１００は、マーカ画像や実際の風景を撮像することができるカメラである。カメラ部１００は、物件情報取得部１５１がマーカ画像を読み込んで当該マーカ画像のマーカ識別情報を認識する際と、表示情報生成部１５２がサーバ２０から受信した物件情報に基づいて、ユーザが各不動産物件の方角を認識できるような態様で各物件情報の一部又はすべてを表示する際とに用いられる。
【００３６】
マーカ画像とは、例えばＱＲコード（登録商標）その他の２次元バーコード、特定の図形、アイコン、静止画などの画像であって、物件情報取得部１５１が各マーカ画像を読み込んで、当該マーカ画像のマーカ識別情報を認識することができるように調整されている画像である。
【００３７】
マーカ識別情報は、当該マーカを特定する情報であって、例えば英文字、数字、日本語仮名、漢字、あるいはこれらの組み合わせなどの文字情報である。
【００３８】
タッチパネル部１１０は、タッチパネルであり、ユーザによる指示の入力を受け付ける部分として機能すると共に、カメラ部１００が撮像した映像を表示する表示装置としても機能する。
【００３９】
ＧＰＳ部１２０は、ＧＰＳ衛星からの電波を受信し、当該受信内容を用いてユーザ端末１０の現在の緯度及び経度を含む位置情報を取得する。ジャイロセンサー部１３０は、ユーザ端末１０のＸＹＺの３軸方向の角速度を検出することにより、当該ユーザ端末の向きを取得できるセンサーである。端末通信部１４０は、有線通信又はＷｉＦｉ（登録商標）等の通信規格にしたがった無線通信を介して、サーバ２０と相互通信するよう構成されている。
【００４０】
端末制御部１５０は、ＣＰＵ（Ｃｅｎｔｒａｌ  Ｐｒｏｃｅｓｓｉｎｇ  Ｕｎｉｔ）等の演算処理装置及びメモリ等により構成されている。端末制御部１５０は、所定のプログラムを読み込んで実行することにより、後述の処理を実行する物件情報取得部１５１、表示情報生成部１５２として機能する。
【００４１】
端末制御部１５０は、タッチパネル部１１０に対するユーザによる操作（例えば、ボタンをタッチする操作、あるいはスワイプする操作等）に応じて、読み込むべきプログラムを認識して読み込んで実行する。
【００４２】
物件情報取得部１５１は、カメラ部１００を介して撮像した映像に含まれるマーカ画像を読み込み、当該マーカ画像のマーカ識別情報を認識して、当該マーカ識別情報及びユーザ端末１０の端末記憶部１６０に記憶されたユーザ情報１６１に含まれるユーザＩＤを含む情報を、端末通信部１４０を介してサーバ２０に送信する。
【００４３】
そして、物件情報取得部１５１は、当該マーカ識別情報に関連付けられ、かつ当該ユーザの種別に対応した物件情報を含む情報をサーバ２０から受信する。
【００４４】
表示情報生成部１５２は、物件情報取得部１５１がサーバ２０から取得した物件情報に含まれる不動産物件の所在地情報を抽出する。さらに表示情報生成部１５２は、ＧＰＳ部１２０を用いてユーザ端末１０の位置情報を取得し、ジャイロセンサー部１３０を用いてユーザ端末１０の向きを取得する。
【００４５】
そして、表示情報生成部１５２は、不動産物件の所在地情報と、ユーザ端末１０の位置情報及び向きとに基づいてユーザ端末１０の位置からの当該不動産物件の方角を取得し、ユーザが不動産物件の方角を認識できるような態様で当該物件情報をユーザ端末１０のタッチパネル部１１０に表示する。表示情報生成部１５２は、物件情報として、物件情報取得部１５１がサーバ２０から取得した物件情報に含まれる情報の全てを表示してもよいし、その一部を表示することとしてもよい。
【００４６】
端末記憶部１６０は、例えばＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。端末記憶部１６０は、ユーザ情報１６１の他、端末制御部１５０の処理結果、端末制御部１５０が端末通信部１４０を介してサーバ２０から受信したデータを記憶するように構成されている。
【００４７】
ユーザ情報１６１は、ユーザを特定するために必要な情報であって、例えばユーザＩＤ、ユーザ名などを含む情報である。
【００４８】
サーバ２０は、サーバ通信部２００、サーバ制御部２１０、物件情報配信部２１１、物件情報管理部２１２、サーバ記憶部２２０を備えるコンピュータである。サーバ２０は、１台のコンピュータにより構成されていてもよいし、複数のコンピュータにより構成されていてもよい。
【００４９】
サーバ通信部２００は、有線通信又はＷｉＦｉ（登録商標）等の通信規格にしたがった無線通信を介して、ユーザ端末１０及び管理者端末３０ａ、３０ｂと相互通信するよう構成されている。
【００５０】
サーバ制御部２１０は、ＣＰＵ（Ｃｅｎｔｒａｌ  Ｐｒｏｃｅｓｓｉｎｇ  Ｕｎｉｔ）等の演算処理装置及びメモリ等により構成されている。サーバ制御部２１０は、所定のプログラムを読み込んで実行することにより、後述の処理を実行する物件情報配信部２１１、物件情報管理部２１２として機能する。
【００５１】
物件情報配信部２１１は、ユーザ端末１０からの求めに応じてユーザ端末１０から受信したマーカ識別情報に関連付けられた物件情報を、サーバ記憶部２２０に記憶されている物件ＤＢ２２２から抽出して、ユーザ端末１０に配信する。
【００５２】
なお、物件情報配信部２１１は、サーバ記憶部２２０に記憶されているユーザ種別ＤＢ２２３を参照して、ユーザ端末１０から受信したユーザＩＤに基づいて当該ユーザの種別を取得する。
【００５３】
ユーザ種別は、例えば不動産物件の入居希望者、不動産事業者、あるいはリフォーム業者などである。ユーザ種別はさらに、例えば入居希望者を居住地域、家族構成でさらに詳細に分類するなどされてもよいし、あるいは不動産事業者及びリフォーム事業者を事業者ごとにさらに詳細に分類されていてもよい。
【００５４】
そして、物件情報配信部２１１は、サーバ記憶部２２０に記憶されている物件情報２２２を参照して、ユーザ端末１０から受信したマーカ識別情報に関連付けられ、かつ当該ユーザの種別に対応した物件情報を抽出して、ユーザ端末１０に配信する。
【００５５】
ユーザ種別に対応した物件情報とは、例えば入居希望者向けの物件情報であれば、間取り、公共交通機関や金融機関などの周辺施設の情報、家賃、敷金、礼金などである。また、不動産事業者向けの物件情報は、例えば前入居者情報、オーナー情報、入居者に対するオーナーの希望、家賃の値引き限度などである。あるいは、リフォーム業者向けの物件情報は、例えば電源コンセントやエアコンの位置、リフォーム施工上の注意点などである。なお、ある物件情報が、複数のユーザ種別に対して共通して配信されてもよい。
【００５６】
このように、物件情報配信部２１１は、ユーザの種別に応じて、ユーザ端末１０に配信する物件情報を異なるものとすることができる。
【００５７】
物件情報管理部２１２は、管理者端末３０ａ、３０ｂにおける操作に基づいて、サーバ記憶部２２０内の情報を作成し、変更し、又は削除する。
【００５８】
サーバ記憶部２２０は、例えばＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。
【００５９】
サーバ記憶部２２０は、マーカＤＢ２２１、物件ＤＢ２２２、ユーザ種別ＤＢ２２３の他、サーバ制御部２１０の処理結果、又はサーバ制御部２１０がサーバ通信部２００を介してユーザ端末１０から受信したデータを記憶するように構成されている。また、サーバ記憶部２２０は、レイアウトＤＢ２２４を記憶するように構成されてもよい。
【００６０】
マーカＤＢ２２１は、マーカ識別情報及び物件情報を特定する情報である物件ＩＤを関連付けて格納しているデータベースである。
【００６１】
物件ＤＢ２２２は、物件ＩＤと、当該物件の所在地情報及び、例えば間取り、公共交通機関や金融機関などの周辺施設の情報、家賃、敷金及び礼金などの情報を含む関連情報及びユーザ種別を特定する情報であるユーザ種別コード、とを関連付けて格納しているデータベースである。
【００６２】
なお物件ＤＢ２２２は、関連情報として、文字情報だけでなく、動画、静止画、音声あるいはこれらの組み合わせを格納していてもよい。
【００６３】
ユーザ種別ＤＢ２２３は、ユーザを特定する情報であるユーザＩＤとユーザ種別コードを含む情報とを関連付けて格納しているデータベースである。
【００６４】
レイアウトＤＢ２２４は、物件ＩＤ及びユーザ種別コードと、ユーザ端末１０の表示情報生成部１５２が物件情報をユーザ端末に表示する際の表示レイアウトに関する情報であるレイアウト情報を含む情報とを関連付けて格納している。表示レイアウトとは、例えば物件情報に含まれる情報の並び順、表示位置又は文字の大きさ、フォント、色若しくは字体などである。
【００６５】
管理者端末３０ａ、３０ｂは、各不動産事業者のシステム管理者が用いる端末であり、例えばコンピュータ、スマートフォン又はタブレットである。
【００６６】
管理者端末３０ａ、３０ｂは、有線通信又はＷｉＦｉ（登録商標）等の通信規格にしたがった無線通信を介して、サーバ２０と相互通信し、サーバ２０の物件情報管理部２１２に対して、サーバ記憶部２２０内のマーカＤＢ２２１、物件ＤＢ２２２、ユーザ種別ＤＢ２２３及びレイアウトＤＢ２２４のすべて又は一部を作成し、変更し、削除する操作を行えるように構成されている。
【００６７】
これにより、本発明によれば、ユーザ端末１０は、不動産物件の所在地情報と当該ユーザ端末１０の位置情報及び向きとに基づいて当該ユーザ端末１０の位置からの当該物件の方角を取得し、ユーザが当該物件の方角を認識できるような態様で物件情報を表示することができる。
【００６８】
そのためユーザは、物件の所在する方角を容易に知ることができると共に、当該物件の外観、間取り、周辺に立地している店舗、公共交通手段の駅などの物件情報を得ることができる。
【００６９】
また、本発明によれば、サーバ２０は、マーカ画像を特定するマーカ識別情報と不動産物件の所在地情報及び関連情報を含む物件情報とをユーザの種別ごとに関連付けて記憶しており、ユーザの種別に応じてユーザ端末１０に配信する物件情報を異なるものとすることができる。
【００７０】
これにより、ユーザは、同一のマーカ画像をユーザ端末１０に読み込ませても、当該ユーザに適した内容で物件情報をユーザ端末１０に表示させることができ、便利である。
【００７１】
また、各不動産事業者のシステム管理者は、同一の不動産物件についてユーザの種別ごとに異なる内容で物件情報を配信したい場合でも、不動産物件ごとのマーカ画像を１つのみ用意すればよいので、システム管理者の手間が少なくて済む。
【００７２】
このように、本発明の不動産物件情報提供システムによれば、システム管理者の手間を軽減しつつ、ユーザに不便を感じさせずにユーザの種別に応じた不動産物件情報を提供できるシステムを実現することができる。
【００７３】
なお、カメラ部１００は、連続して複数のマーカ画像を読み込むことができ、物件情報取得部１５１は、カメラ部１００が読み込んだ複数のマーカ画像のマーカ識別情報に基づいて、各マーカ識別情報に関連付けられた物件情報をサーバ２０から取得し、表示情報生成部１５２は、物件情報取得部１５１が取得した複数の物件情報に含まれる各不動産物件の所在地情報とユーザ端末１０の位置情報及び向きとに基づいてユーザ端末１０の位置からの各不動産物件の方角を取得し、ユーザが各不動産物件の方角を認識できるような態様で各物件情報の一部又はすべてをユーザ端末１０に表示するように構成されていることが好ましい。
【００７４】
これにより、ユーザは、同時に複数の物件の所在する方角を知ることができると共に、当該物件の物件情報を得ることができるので、よりユーザに不便を感じさせずに不動産物件情報を提供できる。
【００７５】
あるいは、物件情報取得部１５１は、カメラ部１００が読み込んだマーカ画像のマーカ識別情報に基づいて、各マーカ識別情報に関連付けられた物件情報及びレイアウト情報をサーバ２０から取得するように構成され、表示情報生成部１５２は、ユーザの種別に応じて物件情報の表示レイアウトを異なるものとするように構成されていることが好ましい。
【００７６】
これにより、各不動産事業者のシステム管理者は、自社向けのレイアウト情報を作成しておくことにより、各不動産事業者が望むレイアウトで、物件情報をユーザ端末に表示させることができるので、システム管理者の手間を軽減しつつ、各不動産事業者の希望に応じた不動産物件情報をユーザに提供できる。
【００７７】
次に、図２、図３Ａ及び図３Ｂを参照して、本発明の一実施形態に係る不動産物件情報提供システムの処理の流れを説明する。
【００７８】
（物件情報取得処理）
まず、端末制御部１５０は、タッチパネル部１１０に対するユーザによる操作に応じて、所定のプログラムを読み込み、物件情報取得部１５１としての機能を開始し、カメラ部１００を介して、１つ以上のマーカ画像を読み込む。（図２／ＳＴＥＰ１０）。
【００７９】
そして、物件情報取得部１５１は、当該１つ以上のマーカ画像から、当該マーカ画像のマーカ識別情報を認識する（図２／ＳＴＥＰ２０）。
【００８０】
次に、物件情報取得部１５１は、ユーザ情報１６１を参照してユーザＩＤを取得し、ＳＴＥＰ２０にて認識した１つ以上のマーカ識別情報と当該ユーザＩＤとを含む情報をサーバ２０に送信する（図２／ＳＴＥＰ３０）。
【００８１】
（物件情報配信処理）
サーバ２０の物件情報配信部２１１は、ユーザ端末１０が送信したマーカ識別情報及びユーザＩＤを受信し（図２／ＳＴＥＰ１００）、ユーザ種別ＤＢ２２３を参照して、当該ユーザＩＤに関連付けられたユーザ種別コードを取得し、当該ユーザの種別を認識する（図２／ＳＴＥＰ１１０）。
【００８２】
次に、物件情報配信部２１１は、物件ＤＢ２２２を参照して、ＳＴＥＰ１００にて受信したマーカ識別情報及びＳＴＥＰ１１０にて取得したユーザ種別コードに関連付けられた物件情報を抽出する（図２／ＳＴＥＰ１２０）。
【００８３】
続いて、物件情報配信部２１１は、レイアウトＤＢ２２４を参照して、マーカ識別情報及びユーザ種別コードに関連付けられたレイアウト情報を抽出する（図２／ＳＴＥＰ１３０）。
【００８４】
そして、物件情報配信部２１１は、ＳＴＥＰ１２０にて抽出した物件情報とＳＴＥＰ１３０にて抽出したレイアウト情報とをユーザ端末１０に送信する（図２／ＳＴＥＰ１４０）。
【００８５】
（表示情報生成処理）
まず、ユーザ端末１０の表示情報生成部１５２は、サーバ２０から物件情報とレイアウト情報とを受信し（図２／ＳＴＥＰ２００）サーバ２０から受信したレイアウト情報に基づいて物件情報のレイアウトを変換する（図２／ＳＴＥＰ２１０）。
【００８６】
次に、表示情報生成部１５２は、ＧＰＳ部１２０を用いて当該ユーザ端末１０の位置情報を取得し、ジャイロセンサー部１３０を用いて当該ユーザ端末１０の向きを取得し、サーバ２０から受信した物件情報に含まれる各不動産物件の所在地情報、当該ユーザ端末１０の位置情報を及び当該ユーザ端末１０の向きに基づいて、各不動産物件の方角を取得する（図２／ＳＴＥＰ２２０）。
【００８７】
そして、表示情報生成部１５２は、ユーザが各不動産物件の方角を認識できるような態様で各物件情報の一部又はすべてである表示情報を生成して、タッチパネル部１１０に表示する（図２／ＳＴＥＰ２３０）。
【００８８】
表示情報生成部１５２は、例えば図３Ａに示すように、カメラ部１００が撮像している実際の風景の画像に、表示情報生成部１５２が生成した表示情報Ｂ１、Ｂ２を重ね合わせて表示する。図２Ａにおいては、ユーザがユーザ端末１０を各物件の方向に向けた際に、実際の風景中の各物件と重なり合うように表示情報Ｂ１、Ｂ２として各物件の物件情報に含まれる情報のうち、物件名の情報を表示している。なお、物件情報に音声が含まれる場合は、表示情報生成部１５２は、ユーザ端末のスピーカを介して当該音声を再生することとしてもよい。
【００８９】
そして、表示情報生成部１５２は、例えばユーザが表示終了の操作を行ったかを判定する（図２／ＳＴＥＰ２４０）。ユーザが表示終了の操作を行った場合（図２／ＳＴＥＰ２４０：ＹＥＳ）、表示情報生成部１５２は、処理を終了する。
【００９０】
一方、ユーザが表示終了の操作を行わない間（図２／ＳＴＥＰ２４０：ＮＯ）は、ＳＴＥＰ２２０〜２４０の処理を繰り返し、ユーザが各不動産物件の方角を認識できるような態様で各物件の表示情報を表示し続ける。
【００９１】
さらに、表示情報生成部１５２は、タッチパネル部１１０を介してユーザによる表示情報Ｂ１又はＢ２に対するタッチ操作を受け付けて、図３Ｂに示すように、ユーザがタッチした表示情報Ｂ１又はＢ２に関する、さらに詳細な物件情報をＳＴＥＰ２２０にて表示情報生成部１５２がサーバ２０から受信したレイアウト情報に基づいてレイアウトを変換した物件情報をさらに表示する。
【００９２】
（物件情報管理処理）
各不動産事業者のシステム管理者は、管理者端末３０ａ、３０ｂを介してサーバ２０の物件情報管理部２１２に対して、サーバ記憶部２２０内のマーカＤＢ２２１、物件ＤＢ２２２、ユーザ種別ＤＢ２２３及びレイアウトＤＢ２２４のすべて又は一部を作成し、変更し、削除する操作を行い、不動産物件情報提供システムが上述の一連の処理を行えるようにするための準備をする。
【００９３】
以上、本発明の実施形態の一例について説明したが、本発明は、上述した実施形態に限定されるものではなく、本発明の要旨の範囲内で各種の変形実施形態が可能であり、そのような実施形態も本発明の範囲に含まれる。
【００９４】
例えば、表示情報生成部１５２がユーザ端末１０に表示する物件情報に当該物件の周辺施設の電話番号が含まれている場合、当該電話番号をユーザがタッチすることにより当該周辺施設に電話をかけることができるように構成してもよい。
【００９５】
あるいは、表示情報生成部１５２がユーザ端末１０に表示する物件情報に当該物件の周辺施設の所在地情報が含まれている場合、表示情報生成部１５２は、当該周辺施設の所在地情報とユーザ端末の位置情報及び向きとに基づいて当該ユーザ端末の位置からの当該周辺施設の方角を取得し、ユーザが当該周辺施設の方角を認識できるような態様で当該周辺施設に関する情報をユーザ端末に表示するように構成されてもよい。
【符号の説明】
【００９６】
１０…ユーザ端末、２０…サーバ、３０ａ、３０ｂ…管理者端末、４０…通信ネットワーク、１００…カメラ部、１１０…タッチパネル部、１２０…ＧＰＳ部、１３０…ジャイロセンサー部、１４０…端末通信部、１５０…端末制御部、１５１…物件情報取得部、１５２…表示情報生成部、１６０…端末記憶部、２００…サーバ通信部、２１０…サーバ制御部、２１１…物件情報配信部、２１２…物件情報管理部、２２０…サーバ記憶部
【図１】
2020080058.tif 000003
【図２】
2020080058.tif 000004
【図３Ａ】
2020080058.tif 000005
【図３Ｂ】
2020080058.tif 000006